(57)【要約】      （修正有）【課題】必要とするネジブランクの種類を変えたりする際に、ドラム本体内を目視点検したり、ドラム本体内から前作業で使用したネジブランクを回収したり、あるいは傾斜シュートを交換したりすることが極めて容易に行えるネジブランクのドラム回転式ホッパーを提供する。【解決手段】台座１上に前方立設板２を取り付け、この前方立設板に接離自在となるドラム本体３を台座上に転動自在に取り付け、前方立設板とドラム本体の対向面位置に傾斜シュート７を受け入れるための開放孔９を形成したことを特徴としてネジブランクのドラム回転式ホッパーを構成する。【選択図】図１
0003162642.tif 000002
【実用新案登録請求の範囲】
【請求項１】
台座上に前方立設板を取り付け、この前方立設板に接離自在となるドラム本体を台座上に転動自在に取り付け、前方立設板とドラム本体の対向面位置に傾斜シュートを受け入れるための開放孔を形成したことを特徴とするネジブランクのドラム回転式ホッパー。
【請求項２】
前方立設板の上部に係止腕を延出させ、その係止腕の先端に係止締具を取り付け、ドラム本体の背面側に係止板を取り付け、この係止板の上端に前記係止締具が嵌入可能となる切込を穿設したことを特徴とする請求項１記載のネジブランクのドラム回転式ホッパー。
【考案の詳細な説明】
【技術分野】
【０００１】
本考案はネジブランクのドラム回転式ホッパーに係り、さらに詳しくは、ドラム回転式ホッパーの基台に対し、ドラム本体を転動自在に取り付けられるようにしたネジブランクのドラム回転式ホッパーに関する。
【背景技術】
【０００２】
従来より、ネジブランクを傾斜シュートに整列させて、ネジ転造盤などに供給するための装置の一つにネジブランクのドラム回転式ホッパーが存在する。
このドラム回転式ホッパーは、内部にネジブランクをまとめて供給し、それらネジブランクをドラム本体の内周面に取り付けた多数の掬い羽根で連続的に掬い上げ、ドラム本体内の頂点付近で傾斜受け板に落下させ、その傾斜受け板の最下端付近に設置されている傾斜シュートの溝部にネジブランクの足部を嵌入させ、傾斜シュートの上面にネジブランクの頭部を乗せた懸垂状態を保ちながら整列させ、この傾斜シュートの傾斜に沿って下方の目的位置までネジブランクをスライド下降させるものである。
【０００３】
上記のドラム回転式ホッパーは、傾斜シュートに対向する側の正面は開放空間が存在するが、背面及び周面側はネジブランクが外部に飛び出さないようにするため内部を覆うようにカバーされており、かつそれらの各部位は容易に分解できない状態でしっかりと組み立てられていた。
【先行技術文献】
【特許文献】
【０００４】
【特許文献１】実開平５−３２２０号公報
【特許文献２】特開２００６−１９３３３１号公報
【考案の概要】
【考案が解決しようとする課題】
【０００５】
このようなドラム回転式ホッパーは、作業で必要とするネジブランクの種類を変えたりする際には、ドラム本体内に前作業で使用したネジブランクが残存しないように全てを引き上げてから、次の種類のネジブランクに移行するものであり、そのためには、ドラム本体内を目視点検して取り残しのネジブランクが無いかを点検する必要がある。
【０００６】
しかしながら、従来のドラム回転式ホッパーの構造上の理由から前作業のネジブランクの有無を目視点検することが困難であり、当然のことながら取り残しネジブランクの回収をしたり、傾斜シュートの交換をしたりするために、大変手間がかかるという問題があった。
本考案は、上記の問題を解決したネジブランクのドラム回転式ホッパーを提供せんとするものである。
【課題を解決するための手段】
【０００７】
前記課題を解決するために、請求項１に記載の考案は、台座上に前方立設板を取り付け、この前方立設板に接離自在となるドラム本体を台座上に転動自在に取り付け、前方立設板とドラム本体の対向面位置に傾斜シュートを受け入れるための開放孔を形成したことを特徴とするネジブランクのドラム回転式ホッパーである。
【０００８】
請求項２に記載の考案は、前方立設板の上部に係止腕を延出させ、その係止腕の先端に係止締具を取り付け、ドラム本体の背面側に係止板を取り付け、この係止板の上端に前記係止締具が嵌入可能となる切込を穿設したことを特徴とする請求項１記載のネジブランクのドラム回転式ホッパーである。
【考案の効果】
【０００９】
上記した請求項１に係るネジブランクのドラム回転式ホッパーは、ドラム本体が台座上で転動自在となるため、ドラム回転式ホッパーとしてネジブランクの供給作業をする際には、前方立設板にドラム本体を接合させた状態で作業を行い、ドラム本体内の目視点検作業などを行う際には、ドラム本体を約９０度転動させてドラム本体の開口孔が上面を向くように位置させ、その状態でドラム本体内を目視点検し、取り残しネジブランクを取り除いたりする作業を行うと、その作業効率はきわめて効率的となる優れた効果を発揮する。
【００１０】
また請求項２は、前方立設板の上部に係止腕を延出させ、その係止腕の先端に係止締具を取り付け、ドラム本体の背面側に係止板を取り付け、この係止板の上端に前記係止締具が嵌入可能となる切込を穿設したため、ドラム本体の転動作業の前後において、各位置を安定的に保持することができ、転動作業の切り替えが簡単な操作で確実に行えるという効果を発揮する。
【図面の簡単な説明】
【００１１】
【図１】本考案に係るネジブランクのドラム回転式ホッパーで、ドラム本体が横に寝かされた状態を示す正面側斜視図である。
【図２】本考案に係るネジブランクのドラム回転式ホッパーで、ドラム本体が垂直に起こされた状態を示す正面側斜視図である。
【図３】本考案に係るネジブランクのドラム回転式ホッパーで、ドラム本体が横に寝かされた状態を示す背面側斜視図である。
【考案を実施するための形態】
【００１２】
以下添付図面に基づいて、本考案に係るネジブランクのドラム回転式ホッパーの一実施の形態を詳説するが、本考案はこれらの実施の形態に制限されるものではない。
【００１３】
図１に示すネジブランクのドラム回転式ホッパーは、台座１上に前方立設板２と、ドラム本体３とが取り付けられ、前方立設板２は台座１に対し固設状態に取り付けられているが、ドラム本体３は台座１に対し転動自在に取り付けられている。
【００１４】
またドラム本体３が台座１に対し垂直に起こされた状態に保持されている場合（図２参照）には、ドラム本体３を回転させて掬い羽根４にてネジブランク５を連続的に掬い上げ、ドラム本体１内部の頂点付近で掬い上げたネジブランク５を傾斜受け板６の上面に落とし、落とされたネジブランク５は傾斜受け板６面上を滑動して傾斜シュート７の溝部８にその足部を嵌入させる。傾斜シュート７の上面にネジブランク５の頭部を乗せた懸垂状態を保ちながら、ネジブランク５は連続状に整列し、この傾斜シュート７の傾斜に沿って下方の目的位置までネジブランク５をスライド下降させる。
なお符号９は前方立設板の開放孔で、１０はドラム本体の開放孔であり、１１は不整列ネジブランクをドラム本体３に戻すための戻しカバーである。
【００１５】
さらに、前方立設板２の上部には係止腕１２が延出されており、その係止腕５の先端には係止締具１３が取り付けられている。またドラム本体３の背面側にドラム本体の係止板１４が取り付けられ、このドラム本体の係止板１４の上端には前記係止締具１３が嵌入可能となる切込１５が穿設されている。
【００１６】
係止腕１２は前方立設板２と一体的になっているため、係止締具１３を係止板１４の切込１５に嵌入して締め付けると、ドラム本体３は前方立設板２と一体的となり、ドラム本体３が垂直状態を保持して不用意に倒れることが無くなる。
【００１７】
ついで前記係止締具１３を弛めて切込１５への嵌入状態を解除すると、ドラム本体３は台座１に対して転動自在に取り付けられているため、横に寝かされた状態（図１及び図３参照）にすることができ、ドラム本体３の開放孔１０は上方を向いた状態に位置することとなる。
【００１８】
このようにドラム本体３を横に寝かせることで、ドラム本体３の内部を隅々まで目視することが可能となる。したがって、本考案は、必要なときは簡単にドラム本体３を横に寝かせることができ、また簡単にドラム本体３を垂直状態に起こし、前方立設板２と一体的に組み立てることもできる。
【産業上の利用可能性】
【００１９】
本考案のネジブランクのドラム回転式ホッパーは、ドラム回転式ホッパーを製造する現場、さらにはドラム回転式ホッパーを使用する現場で利用することが可能であり、その利用範囲は大変広いものとなる。
【符号の説明】
【００２０】
１ …台座
２ …前方立設板
３ …ドラム本体
４ …掬い羽根
５ …ネジブランク
６ …傾斜受け板
７ …傾斜シュート
８ …傾斜シュートの溝部
９ …前方立設板の開放孔
１０ …ドラム本体の開放孔
１１ …不整列ネジブランクの戻しカバー
１２ …係止腕
１３ …係止締め具
１４ …ドラム本体の係止板
１５ …ドラム本体の切込
【図１】
0003162642.tif 000003
【図２】
0003162642.tif 000004
【図３】
0003162642.tif 000005